(57)【要約】【課題】テーブル本体が、アームレストの収納空間に保持される収納位置と、着座者の前方に水平状態に保持される使用位置との間を変位可能な腰掛用サイドテーブル装置であって、テーブル本体がアームレストの収納空間に自重落下する速度を、簡易な構成で減速可能にする腰掛用サイドテーブル装置。【解決手段】アームレスト１の収納空間４内に、テーブル本体２の縁部２ａに摺接してテーブル２本体の回動を規制するテーブル回動緩慢部材３を設けた。【選択図】      図１
2005000483.tif 000002
【特許請求の範囲】
【請求項１】
テーブル本体が、アームレストの収納空間内に直立した状態で保持される収納位置と、着座者が使用可能な水平状態に保持される使用位置との間を回動動作により変位可能な腰掛用サイドテーブル装置において、
アームレストの収納空間内に設けられ、
テーブル本体の一部がアームレストの収納空間内に収容された状態から、テーブル本体が収納位置に至る回動領域内で、テーブル本体の縁部に摺接して、テーブル本体の回動を抑制するテーブル回動緩慢部材を具備することを特徴とする腰掛用サイドテーブル装置。
【請求項２】
請求項１記載の腰掛用サイドテーブル装置であって、
テーブル回動緩慢部材は、テーブル本体の縁部と摺接することで摩擦抵抗を生じさせてテーブル本体の回動を抑制可能とする樹脂材料を備えていることを特徴とする腰掛用サイドテーブル装置。
【発明の詳細な説明】
【０００１】
【発明の属する技術分野】
本発明は、シートクッション側方のアームレストに備え付けられる腰掛用サイドテーブル装置に関し、さらに詳しくは、アームレスト内に保持される収納位置と、着座者の前方に配置される使用位置との間を回転動作により変位可能な腰掛用サイドテーブル装置に関する。
【０００２】
【従来の技術】
図４に示す腰掛装置３０は、シートクッション３１と、シートバック３２と、アームレスト３３を具備している。
【０００３】
腰掛用サイドテーブル装置は、板状に形成されたテーブル本体３４が、アームレスト３３の収納空間３７内に直立した状態で保持された収納位置と、腰掛装置３０に座った着座者の前方に水平状態に保持された使用位置との間を、肘のせ蓋部３５の前方に設けられたヒンジ部３６によって回動変位可能に設けられている。
【０００４】
図５を用いて、ヒンジ部３６について説明する。ヒンジ部３６は、アームレスト３３（図４）に取り付けられた第一ヒンジ３６ａと、テーブル本体３４に取り付けられた第二ヒンジ３６ｂと、その両ヒンジ間に取り付けられた第三ヒンジ３６ｃとから構成される。これにより、テーブル本体３４は、第一ヒンジ軸３６ｄを中心として腰掛の前後方向に回動可能となり、第二ヒンジ軸３６ｅを中心として腰掛の左右方向に回動可能となる。
【０００５】
テーブル本体３４を、収納位置から使用位置にもたらすには、先ず、肘のせ蓋部３５を開け、収納空間３７の上方に向いた開口を開放する。収納空間３７内に直立した状態に保持されたテーブル本体３４を直立した状態に保ちつつ、第一ヒンジ軸３６ｄを中心として回動（図５において反時計方向）させながら、上方に引き上げる。テーブル本体３４を収納空間３７から引き出し、略１８０度回動させた状態から、テーブル本体３４を第二ヒンジ軸３６ｅを中心として、着座者の前方（図５において左右方向）に回動させる。略９０度回動させることにより、不図示のストッパを介して着座者の前方に水平状態に保たれ、テーブル本体３４は使用位置に保持される。
【０００６】
上記構成の腰掛用サイドテーブル装置のテーブル本体３４を収納する際には、上述した操作と逆の手順を行うことで可能となる。しかしながら、第二ヒンジ軸３６ｅを中心に、使用位置から直立した状態に回動させたテーブル本体３４を、第一ヒンジ軸３６ｄを中心に収納位置にもたらす際に、着座者（テーブルの使用者）が手で支えていたテーブル本体３４が、誤って手から滑り落ちた場合、テーブル本体３４は、アームレスト３３の収納空間３７内に自重落下して大きな衝突音を発し、着座者に不快感を与えることがあった。
【０００７】
また、同様にテーブル本体３４が自重落下することで、ヒンジ部３６に過大な応力が加わり、ヒンジ部３６の損傷、さらには破損してしまい、サイドテーブル装置自体が使用できなくなるおそれがあった。
【０００８】
上記問題点を課題とする提案がなされている。この提案の概要を、図５及び図６を用いて説明する。ヒンジ部３６の第一ヒンジ軸３６ｄを、軸部３８と筒部３９の２層構造とし、軸部３８は、第一ヒンジ３６ａに対して回転不能とし（図６では、軸部３８の端部を矩形にして、同形状の孔を有する第一ヒンジ３６ａと連結することで実現している）、第三ヒンジ３６ｃと一体に設けられた筒部３９が軸部３８に対して円周方向に摩擦抵抗をもって回動可能（図６では、弾性材料からなる筒部３９の内径寸法を、金属材料からなる軸部３８の外径寸法より若干小径にして、筒部３９に軸部３８を嵌入することで摩擦抵抗の発生を実現している）な構成にしたものである。この構成によれば、テーブル本体３４を収納空間３７（図４）に収める際に、テーブル本体３４が誤って手から滑り落ちても、軸部３８と筒部３９との間に生じる摩擦抵抗により、自重落下速度を低減でき、大きな衝突音を生じにくくできることが提案されている（例えば、特許文献１参照）。
【０００９】
【特許文献１】
特開平１０−２３４５１４号公報（図４、図５）
【００１０】
【発明が解決しようとする課題】
しかし、図５、図６に示す構成では、軸部３８と筒部３９との間に摩擦抵抗を生じさせるために、軸部３８の外径寸法と筒部３９の内径寸法の微妙な精度管理を必要とするばかりでなく、細い外径寸法を要求されるヒンジ軸を、さらに２層構造にしなければならず、組立工数の増加やコストアップを余儀なくされるという問題が生じる。
【００１１】
【課題を解決するための手段】
上記課題を解決する請求項１記載の発明は、テーブル本体が、アームレストの収納空間内に直立した状態で保持される収納位置と、着座者が使用可能な水平状態に保持される使用位置との間を変位可能な腰掛用サイドテーブル装置において、アームレストの収納空間内に設けられ、テーブル本体の一部がアームレストの収納空間内に収容された状態から、テーブル本体が収納位置に至る回動領域内で、テーブル本体の縁部に摺接してテーブル本体の回動を抑制するテーブル回動緩慢部材を具備することを特徴とする腰掛用サイドテーブル装置である。
【００１２】
アームレストの収納空間内に、テーブル本体の一部がアームレストの収納空間内に収容された状態から、テーブル本体が収納位置に至る回動領域内で、テーブル本体の縁部に摺接するテーブル回動緩慢部材を設けたことで、テーブル本体を使用位置から収納位置にもたらす際に、収納位置ストッパに当接するより先に、テーブル回動緩慢部材に摺接すること、テーブル本体の回動が抑制され、これにより、テーブル本体が自重落下した場合でも、テーブル本体が収納位置ストッパに激しく当接して大きな衝突音を発するような事態を防ぐことができ、着座者に不快感を与えることもない。また、ヒンジ機構に過大な応力が加わることもないので、ヒンジ機構の損傷や破損も防止できる。
【００１３】
上記課題を解決する請求項２記載の発明は、請求項１記載の腰掛用サイドテーブル装置であって、テーブル回動緩慢部材は、テーブル本体の縁部と摺接することで摩擦抵抗を生じさせてテーブル本体の回動を抑制可能とする樹脂材料を用いたことを特徴とする腰掛用サイドテーブル装置である。
テーブル回動緩慢部材として樹脂材料を用いたことにより、テーブル本体がテーブル回動緩慢部材に摺接した際に、テーブル本体に適度な摩擦抵抗を生じさせて、テーブル本体の回動を抑制することができる。
【００１４】
【発明の実施の形態】
図１乃至図３を用いて、本発明の実施の形態例を説明する。図１は、本発明の腰掛用サイドテーブル装置の側面図（テーブルが収納位置）であり、図２は、本発明の腰掛用サイドテーブル装置の平面図（テーブルが使用位置）であり、図３は、本発明の腰掛用サイドテーブル装置に設けられるテーブル回動緩慢部材の斜視図である。
【００１５】
本発明の腰掛装置は、鉄道車両、自動車、航空機、劇場或いは家庭などで使用されるもので、その構成を大別すると、着座者の臀部を支えるシートクッションと、着座者の背部を支えるシートバックと、着座者の肘部を載置可能なアームレストと、アームレスト内に収納される収納位置と、着座者が使用可能な使用位置との間を変位可能なサイドテーブルとを具備している（図４参照）。
【００１６】
図１乃至図３において、１は、腰掛装置の側部に配置されるアームレストである。アームレスト１は、着座者の肘部を載置可能にするという本来の機能に加え、後述するテーブル本体２を直立した状態で収納可能な収納空間４を有している。
【００１７】
２は、テーブル本体であり、アームレスト１の収納空間４内に直立した状態で保持される収納位置と、着座者の前方に水平状態に保持される使用位置との間を変位可能に構成されている。
【００１８】
３は、アームレスト１の収納空間４内に設けられるテーブル回動緩慢部材である。テーブル回動緩慢部材３は、一端がアームレスト１に内側面に取り付けられるブラケット３ａと、ブラケット３ａの他端側に設けられる摺接部材３ｂとから構成される。ブラケット３ａは、平板を略Ｌ字状に折曲させた形状から成り、一端がアームレスト１の内側面にボルト、ピン等で固定されている。他端側には弾性変形可能な樹脂材料からなる摺接部材３ｂが、テーブル本体２の縁部２ａと摺接可能な位置に配設されている。
【００１９】
５は、アームレスト１の前方上端部に設けられ、テーブル本体２を収納位置と使用位置との間で変位可能にならしめるヒンジ機構である。ヒンジ機構５は、アームレスト１の前方上端部に取り付けられる第一ヒンジ部６と、テーブル本体２に取り付けられる第二ヒンジ部７と、その両ヒンジ間に連結される第三ヒンジ部８と、腰掛装置の左右方向（平面図である図２における上下方向）に延びて第一ヒンジ部６に対して第三ヒンジ部８を回動可能にさせる第一ヒンジ軸９と、腰掛装置の前後方向（図１、図２の左右方向）に延びて第三ヒンジ部８に対して第二ヒンジ部７を回動可能にさせる第二ヒンジ軸１０とを有している。
【００２０】
１２は、アームレスト１の収納空間４内に取り付けられ、テーブル本体２が収納空間４内に収納される際に、テーブル本体２が所定の収納位置以上に回動（図１における時計方向）しないように規制する収納位置ストッパである。
【００２１】
テーブル本体２を、収納位置から使用位置にもたらすには、アームレスト１の上面部に開閉可能に設けられた肘のせ蓋部（不図示）を開け、収納空間４の上方に向いた開口を開放する。アームレスト１の収納空間４内に収容され、収納位置ストッパ１２によって回動が規制されるとともに、テーブル回動緩慢部材３によって収納位置に安定的に保持されるテーブル本体２のハンドル部１１を持って、テーブル本体２を直立した状態に保ちつつ、第一ヒンジ軸９を中心に、図１において反時計方向に回動させながら上方に引き上げる。テーブル本体２を、第一ヒンジ軸９を中心に略１８０度回動させ、アームレスト１の前方かつ上方に位置させ、さらにテーブル本体２を、第二ヒンジ軸１０を中心として、着座者の前方（腰掛の左右方向）に略９０度回動させることにより、不図示の使用位置ストッパを介して着座者の前方に水平状態に保たれ、テーブル本体２は使用位置に保持される。
【００２２】
また、テーブル本体２を、使用位置から収納位置にもたらすには、前述した操作の逆の手順を行うことにより可能となる。着座者の前方に水平状態に保たれた使用位置にあるテーブル本体２を、第三ヒンジ軸１０を中心として回動させて、テーブル本体２を直立した状態にする。次に、テーブル本体２を、第一ヒンジ軸９を中心として図１の時計方向に回動させ、アームレスト１の収納空間４に収容する。この際、テーブル回動緩慢部材３の摺接部材３ｂに、テーブル本体２の縁部２ａが摺接することで摩擦抵抗が生じ、テーブル本体２の回動に抑制力が働き、テーブル本体２は、この抑制力が維持されつつ収納位置ストッパ１２に当接し、収納位置にもたらされる。
【００２３】
万一、テーブル本体２を使用位置から収納位置にもたらす際に、テーブル本体２が誤って手から滑り落ちて、テーブル本体２が自重落下したとしても、テーブル本体２が収納位置ストッパ１２に当接するより先に、テーブル回動緩慢部材３の摺接部材３ｂに摺接することで摩擦抵抗が生じて、自重落下速度が減速されるので、収納位置ストッパ１２に激しく当接して大きな衝突音を発するような事態を防ぐことができる。よって、着座者に不快感を与えることもなく、さらにはヒンジ機構５に過大な応力が加わることもないので、ヒンジ機構５の損傷や破損のおそれも防止できる。
【００２４】
なお、テーブル回動緩慢部材３の摺接部材３ｂは、テーブル本体２の縁部２ａが摺接した際に適度な摩擦抵抗を生じさせることができ、かつ耐久性の面から、樹脂材料を用いるのが望ましいが、これに限るものではなく、硬質ゴムや硬質ウレタン等を用いてもよい。
【００２５】
【発明の効果】
以上述べたように、請求項１記載の発明によれば、アームレストの収納空間内に設けたテーブル回動緩慢部材をテーブル本体の縁部に摺接させるという簡易な手段でテーブル本体の回動を抑制することができ、自重落下による衝突音を発生や、ヒンジ機構の損傷や破損を防止できるとともに、腰掛用サイドテーブル装置の組立工数の低減やコストダウンを図ることができる。
【００２６】
また請求項２記載の発明によれば、テーブル回動緩慢部材として樹脂材料を用いたことにより、テーブル本体がテーブル回動緩慢部材に摺接した際に、テーブル本体に適度な摩擦抵抗を生じさせて、テーブル本体の回動を抑制することができる。
【図面の簡単な説明】
【図１】本発明の腰掛用サイドテーブル装置の側面図である。
【図２】本発明の腰掛用サイドテーブル装置の平面図である。
【図３】本発明の腰掛用サイドテーブル装置に設けられるテーブル回動緩慢部材の斜視図である。
【図４】腰掛装置の全体図である。
【図５】腰掛用サイドテーブル装置に用いられるヒンジ機構の斜視図である。
【図６】従来の腰掛用サイドテーブル装置のヒンジ軸構造を示す分解斜視図である。
【符号の説明】
１            アームレスト
２            テーブル本体
２ａ          縁部
３            テーブル回動緩慢部材
３ａ          ブラケット
３ｂ          摺接部材
４            収納空間
５            ヒンジ機構
６            第一ヒンジ部
７            第二ヒンジ部
８            第三ヒンジ部
９            第一ヒンジ軸
１０          第二ヒンジ軸
１２          収納位置ストッパ
【図１】
2005000483.tif 000003
【図２】
2005000483.tif 000004
【図３】
2005000483.tif 000005
【図４】
2005000483.tif 000006
【図５】
2005000483.tif 000007
【図６】
2005000483.tif 000008